【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
ペン形状のハウジング内に所定の信号を生成する信号生成回路を備え、前記信号生成回路によって生成された信号を位置検出装置が備えるセンサに送出する位置指示器において、
前記ハウジングの前記ペン形状の軸心方向の一方の端部から突出するように配置された第１の電極と、
前記ハウジングの中心軸を囲むように前記第１の電極の近傍に配設された互いに電気的に分離された少なくとも３つの電極片から構成される第２の電極と、
前記少なくとも３つの電極片から構成される前記第２の電極と前記第１の電極に対して前記信号生成回路によって生成された信号を選択的に供給する信号供給制御を行う信号供給制御回路と、
外部から供給される制御信号を受信する制御信号受信回路と、
を備え、
前記信号供給制御回路は、前記制御信号受信回路の出力に基づいて制御可能に構成されている
ことを特徴とする位置指示器。
【請求項２】
前記信号供給制御回路は、前記信号生成回路によって生成された前記信号を、前記第１の電極に供給すると共に、前記第２の電極を構成する前記少なくとも３つの電極片に対しては選択的に供給する信号供給制御を行うことを特徴とする請求項１に記載の位置指示器。
【請求項３】
前記信号供給制御回路は、前記第２の電極を構成する前記少なくとも３つの電極片の選択状況を示す識別情報を前記信号生成回路によって生成された信号に付加する制御を行うことを特徴とする請求項２に記載の位置指示器。
【請求項４】
前記信号供給制御回路は、前記信号生成回路によって生成された前記信号を前記第１の電極及び前記第２の電極を構成する前記少なくとも３つの電極片に対して選択的に供給する信号供給制御を行うことを特徴とする請求項１に記載の位置指示器。
【請求項５】
前記信号供給制御回路は、前記第１の電極及び前記第２の電極を構成する前記少なくとも３つの電極片の選択状況を示す識別情報を前記信号生成回路によって生成された信号に付加する制御を行うことを特徴とする請求項４に記載の位置指示器。
【請求項６】
前記信号生成回路は、第１の信号レベルを有する第１の信号と、前記第１の信号レベルよりも大きい第２の信号レベルを有する第２の信号を生成可能に構成されており、
前記信号供給制御回路は、前記第２の電極を構成する前記少なくとも３つの電極片の中の複数の電極片に対して前記第２の信号を供給する信号供給制御を行うようにしたことを特徴とする請求項１に記載の位置指示器。
【請求項７】
前記複数の電極片とは、前記第２の電極を構成する前記少なくとも３つの電極片の全ての電極片であることを特徴とする請求項６に記載の位置指示器。
【請求項８】
前記信号供給制御回路は、前記第２の電極を構成する前記少なくとも３つの電極片の中の複数の電極片に対して前記第２の信号を供給するとともに、前記第１の電極に対しても前記第２の信号を供給する信号供給制御を行うようにしたことを特徴とする請求項６に記載の位置指示器。
【請求項９】
前記信号供給制御回路は、前記制御信号受信回路の出力に基づいて前記第２の電極を構成する前記少なくとも３つの電極片の中の複数の電極片に対して前記第２の信号が供給されることを特徴とする請求項６に記載の位置指示器。
【請求項１０】
前記信号供給制御回路は、前記第２の電極を構成する前記少なくとも３つの電極片の中の複数の電極片に対して前記第２の信号を供給する際には、前記第２の信号を間欠的に供給する信号供給制御を行うことを特徴とする請求項６に記載の位置指示器。
【請求項１１】
前記信号生成回路は、第１の信号レベルを有する第１の信号と、前記第１の信号レベルよりも大きい第２の信号レベルを有する第２の信号を生成可能に構成されており、
前記信号供給制御回路は、前記制御信号受信回路の出力に基づいて前記信号生成回路によって生成された前記第１の信号あるいは第２の信号を、前記第２の電極を構成する前記少なくとも３つの電極片に供給する信号供給制御を行うことを特徴とする請求項１に記載の位置指示器。
【請求項１２】
前記信号供給制御回路は、前記制御信号受信回路の出力に基づいて、前記第２の電極を構成する前記少なくとも３つの電極片の中から選択された複数の電極片に対して前記信号生成回路によって生成された前記第２の信号を供給する信号供給制御を行うことを特徴とする請求項１１に記載の位置指示器。
【請求項１３】
前記第２の電極を構成する前記少なくとも３つの電極片の全ての電極片が選択されることを特徴とする請求項１２に記載の位置指示器。
【請求項１４】
前記信号供給制御回路は、前記制御信号受信回路の出力に基づいて、前記第２の電極を構成する前記少なくとも３つの電極片を順次選択して前記信号生成回路によって生成された前記第１の信号を供給する信号供給制御を行うことを特徴とする請求項１１に記載の位置指示器。
【請求項１５】
前記信号供給制御回路は、前記制御信号受信回路の出力に基づいて、前記信号生成回路によって生成された前記第１の信号あるいは前記第２の信号を前記第２の電極を構成する前記少なくとも３つの電極片に供給すると共に、前記第１の電極に対しても供給する信号供給制御を行うことを特徴とする請求項１１に記載の位置指示器。
【請求項１６】
前記制御信号受信回路は、前記位置検出装置が備える前記センサとの間での静電結合を介して前記センサから送出された前記制御信号を受信することを特徴とする請求項９に記載の位置指示器。
【請求項１７】
前記制御信号受信回路は、無線信号を受信して前記制御信号を受信することを特徴とする請求項９に記載の位置指示器。
【請求項１８】
前記信号供給制御回路は、前記第２の電極を構成する前記少なくとも３つの電極片のうち前記信号生成回路によって生成された前記第１の信号を非供給の電極片を所定の電位に設定することを特徴とする請求項１に記載の位置指示器。
【請求項１９】
ペン形状のハウジングの軸心方向の一方の端部から突出するように配置された第１の電極と、前記第１の電極の近傍であって前記ハウジングの中心軸を囲むように配設された第２の電極を備えた位置指示器の前記第１の電極及び前記第２の電極のそれぞれと、グリッド構成に配置された電極を備えるセンサとの間での静電容量結合によって、前記センサ上での前記位置指示器の状態を検出する、前記センサに接続された信号処理装置であって、
前記位置指示器に配置された前記第１の電極及び前記第２の電極のうちの少なくとも一方の電極が前記センサとの間での静電容量結合によって形成されるオブジェクト領域を検出するオブジェクト領域検出回路と、
前記オブジェクト領域検出回路によって検出されたオブジェクト領域の出現状態を判定するオブジェクト領域出現状態判定回路と、
前記オブジェクト領域出現状態判定回路による判定結果を前記位置指示器に指示する判定結果指示回路と、
を備えた信号処理装置。
【請求項２０】
前記位置指示器に配置された前記第１の電極及び前記第２の電極のそれぞれに対応したオブジェクト領域が前記オブジェクト領域検出回路によって検出された際には、前記オブジェクト領域出現状態判定回路による前記それぞれのオブジェクト領域が互いに識別可能であるか否かの判定結果が前記判定結果指示回路を介して前記位置指示器に指示されることを特徴とする請求項１９に記載の信号処理装置。
【請求項２１】
前記位置指示器に配置された前記第１の電極に対応したオブジェクト領域が前記オブジェクト領域検出回路によって検出された際には、前記オブジェクト領域出現状態判定回路による前記オブジェクト領域が所定の大きさか否かの判定結果が前記判定結果指示回路を介して前記位置指示器に指示されることを特徴とする請求項１９に記載の信号処理装置。
【請求項２２】
前記判定結果指示回路は、前記センサと前記位置指示器との間での静電容量結合によって前記判定結果を前記位置指示器に指示することを特徴とする請求項１９に記載の信号処理装置。
【請求項２３】
前記位置指示器は無線受信回路を備えているとともに、前記判定結果指示回路は無線送信回路を備えており、前記判定結果は無線にて前記位置指示器に指示されることを特徴とする請求項１９に記載の信号処理装置。
【請求項２４】
前記位置指示器に配置された前記第２の電極には第１の信号レベルの第１の信号と、前記第１の信号レベルよりも大きい信号レベルの第２の信号が選択的に供給可能に構成されており、前記オブジェクト領域出現状態判定回路による判定結果に基づいて前記第１の信号あるいは前記第２の信号が選択されるように前記判定結果指示回路を介して前記位置指示器に指示されることを特徴とする請求項１９に記載の信号処理装置。
【請求項２５】
前記第２の電極は、互いに電気的に分離された少なくとも３つの電極片から構成されており、前記オブジェクト領域検出回路は、前記位置指示器に配置された前記第１の電極及び前記第２の電極を構成する前記少なくとも３つの電極片が前記センサとの間での静電容量結合によって形成されるそれぞれのオブジェクト領域を検出可能に構成されていることを特徴とする請求項１９に記載の信号処理装置。
【請求項２６】
前記位置指示器に配置された前記第１の電極及び前記第２の電極を構成する前記少なくとも３つの電極片が前記センサとの間での静電容量結合によって形成されるそれぞれのオブジェクト領域が前記オブジェクト領域検出回路によって検出されたことに対応して、前記位置指示器が前記センサのセンサ面との間で形成する傾き及び前記位置指示器の前記中心軸に対する回転よって形成されるそれぞれの角度の少なくとも一方の角度を算出する処理を実行することを特徴とする請求項２５に記載の信号処理装置。
【手続補正２】
【補正対象書類名】明細書
【補正対象項目名】００１２
【補正方法】変更
【補正の内容】
【００１２】
上記の課題を解決するために、この発明による位置指示器は、
ペン形状のハウジング内に所定の信号を生成する信号生成回路を備え、前記信号生成回路によって生成された信号を位置検出装置が備えるセンサに送出する位置指示器において、
前記ハウジングの前記ペン形状の軸心方向の一方の端部から突出するように配置された第１の電極と、
前記ハウジングの中心軸を囲むように前記第１の電極の近傍に配設された互いに電気的に分離された少なくとも３つの電極片から構成される第２の電極と、
前記少なくとも３つの電極片から構成される前記第２の電極と前記第１の電極に対して前記信号生成回路によって生成された信号を選択的に供給する信号供給制御を行う信号供給制御回路と、
外部から供給される制御信号を受信する制御信号受信回路と、
を備え、
前記信号供給制御回路は、前記制御信号受信回路の出力に基づいて制御可能に構成されている
ことを特徴とする。
【手続補正３】
【補正対象書類名】明細書
【補正対象項目名】０１４７
【補正方法】変更
【補正の内容】
【０１４７】
ここで、位置指示器１００の３つの周辺電極Ｂ，Ｃ，Ｄの先端位置であるＢ点、Ｃ点、Ｄ点とセンサ面３００Ｓからの距離（ｚ１、ｚ２、ｚ３）は受信信号強度Ｖ１，Ｖ２，Ｖ３にほぼ反比例するので、αを比例係数として以下の（８）式、（９）式のように表す。
【数３】
2016126503.tif 000001
ここで、α/ｒは定数であるからこの値をあらかじめ求めておけば前記関係式よりθｘ、θｙを求めることができる。
【手続補正４】
【補正対象書類名】図面
【補正対象項目名】図１１
【補正方法】変更
【補正の内容】
【図１１】
2016126503.tif 000002
【手続補正５】
【補正対象書類名】図面
【補正対象項目名】図１９
【補正方法】変更
【補正の内容】
【図１９】
2016126503.tif 000003